(57)【要約】【課題】小型で保持入力のしにくい携帯電子機器を指が密着する如く把持し自由な親指の入力操作を容易にすると共に、今日嗜好の目的で広く普及している携帯電話機等のストラップに繋止されている、ぬいぐるみ、キャラクター、人形、アクセサリーを携帯電子機器保持のために有効な指密着保持体として機能を付与することを目的とする。【解決手段】携帯電子機器に繋着されたストラップに繋止されたぬいぐるみ、キャラクター、人形、指輪を含まないアクセサリーを指密着保持体として、機器筐体に接する面に二面を一組として着脱自由な面ファスナーの一面を雄面として固着し、雄面に対する雌面を機器の操作部の背面に接着し、その二面を合着し指密着保持体を指で挟持することで携帯電子機器をブレなく把持することが出来る。【選択図】図１
0003156474.tif 000002
【実用新案登録請求の範囲】
【請求項１】
携帯電子機器に繋着されたストラップに繋止された、ぬいぐるみ、キャラクター、人形、指輪を含まないアクセサリーを指密着保持体として、二面を一組として着脱自由な面ファスナーの一面を雄面としてその指密着保持体に固着し、携帯電子機器の操作部の筐体背面に面ファスナーの雄面に対す雌面を接着し、その両面を着脱自由に合着し、指密着保持体を指で挟持することで携帯電子機器をブレなく確実に把持する事を可能とする面ファスナーを固着した指密着保持体。
【請求項２】
請求項１に於ける、ぬいぐるみ、キャラクター、人形、指輪を含まないアクセサリーを指密着保持体としてその底面に吸盤を固着し、携帯電子機器の操作部の筐体背面に吸着し、その指密着保持体を指で挟持することで携帯電子機器をブレなく確実に把持する事を可能とする吸盤を固着した指密着保持体。
【考案の詳細な説明】
【技術分野】
【０００１】  本考案は、携帯電子機器の筐体と指を安定密着させることにより、文字入力操作を容易且つ高速入力を可能とすると共に、機器の落下を防止する携帯電子機器の指密着保持体に関する。
【背景技術】
【０００２】  従来携帯電話機等の携帯電子機器は小型化して、その文字記号の入力には片手で機体を握る様に保持しながら親指で操作面のキーを反復押下を繰返し操作している。その際機体をブレなく保持する為に親指の根元も含めて全指で把持している必要があり、その様な状態では親指の自由で速い入力操作が出来難い。それを解決する先行技術として、面ファスナーを使用する特開２００２−２９５３１や実用新案登録第３１２４５９１があるが、それ等は指輪に限定され機能範囲が限られて小さい。又吸盤を用いたものに特開２００７−５３６０３があるが、材料が樹脂、金属に限定された特異な形態を有するもので、操作が硬く携帯に支障があり、消費者の嗜好に合わず普及しにくい点がある。【０００３】  一方現状の背景として携帯電話機のストラップに好みのぬいぐるみ、キャラクター等を繋止している消費者が多く一般化しているが、それ等は携帯電話機の機能に利するものでなく嗜好品の域を出ないものである。
【先行技術文献】
【特許文献】
【０００４】
【特許文献１】特開２００２−２９５３１
【特許文献２】実用新案登録第３１２４５９１
【特許文献３】特開２００７−５３６０３
【考案の概要】
【考案が解決しようとする課題】
【０００５】  本考案は前述の如き小型の携帯電子機器の入力操作の困難を解決し入力を容易に、高速入力を可能とし且つ落下を防止する事を目的とすると共に、無為に垂下されているぬいぐるみ、キャラクター、人形、アクセサリーを携帯電子機器の保持のため有効に活用し、機能を付与することを課題とする。
【課題を解決するための手段】
【０００６】  前記の二つの課題を解決するために、携帯電子機器に繋着されたストラップに繋止されたぬいぐるみ、キャラクター、人形、指輪を含まないアクセサリーを指密着保持体とし、面ファスナーの一面を雄面として指密着保持体に固着し、雄面に対する雌面を携帯電子機器の操作部の背面に接着し、雌雄二面を合着させる事で指密着保持体が機器筐体に密着されその指密着保持体を指で挟持するか、緊張されたストラップの下に指を挿入する事で、携帯電子機器をブレることなく確実に把持する事が出来る。【０００７】  又前記の解決手段と同等の効果を有するものとして、前記の面ファスナーの部分を吸盤に置き換え、指密着保持体に吸盤を固着させ、機器筐体の背面に吸着させその指密着保持体を指で挟持するか緊張されたストラップの下に指を挿入する事で、機器筐体をブレなく把持する事が可能となる。
【考案の効果】
【０００８】  携帯電子機器に繋着されたストラップに繋止した、ぬいぐるみ、人形、キャラクター、指輪を含まないアクセサリーに、請求項１にては面ファスナーを、請求項２にては吸盤を固着したものを指密着保持体として、機器の筐体に着脱自由に密着させる事により、保持体を介して機器筐体をブレなく確実に保持されることは、親指に余分な負荷をかけることなく自由な動きと高速入力を可能とする効果があるが、本考案の更なる特徴は、現状において一般化している携帯電話機等のストラップに繋着されているぬいぐるみ、キャラクター、人形、アクセサリーを単なる嗜好品にとどまらず携帯電子機器保持の為の機能用具として活用する事で、ユーザーにとって従来の習慣の延長として違和感なく特別な装置を追装する事もなく、嗜好とファッションと機能を同時に満足する事の産業上の効果は大きいと思われる。
【図面の簡単な説明】
【０００９】
【図１】請求項１に於ける面ファスナー５ａを固着した指密着保持体４を携帯電子機器の筐体に接着した面ファスナー５ｂと合着させた場合の側面図及び平面図。
【図２】請求項１に於いて、キャラクターをプリントし整形した面ファスナー５ｂを携帯電子機器１の筐体に接着した場合の平面図。
【図３】請求項２に於ける吸盤６を指密着保持体４に固着し携帯電子機器１の筐体に吸着させた場合の側面図及び平面図。
【図４】指密着保持体４を指で挟持して携帯電子機器１を安定把持し親指がフリーになった実態図。
【図５】緊張されたストラップ３の下に指を挿入した場合の実態図。
【考案を実施するための形態】
【００１０】  携帯電子機器に繋着したストラップに繋止された、ぬいぐるみ、キャラクター、人形、指輪を含まないアクセサリーを指密着保持体として、請求項１にては二面を一組とて着脱する面ファスナーを、請求項２にては吸盤をその指密着保持体に固着し機器筐体の背面に着脱自由に合着させ、その指密着保持体を指で挟持する事で携帯電子機器をブレなく確実に把持する事が出来る。以下実施例で説明する。
【実施例１】
【００１１】  携帯電子機器１のストラップ孔２に繋着されたストラップ３に繋止したぬいぐるみ、キャラクター、人形、指輪を含まないアクセサリーを指密着保持体４として、二面を一組とした面ファスナーの一面を雄面５ａとして指密着保持体４に固着し、雄面５ａに対するもう一面を雌面５ｂとして携帯電子機器１の操作部の背面に接着テープ等にて接着する。ストラップを緊張させた位置で雄面５ａと雌面５ｂとを合着させ、指密着保持体４を指で挟持するか緊張されたストラップ３の下に指を挿入することで、指と携帯電子機器の筐体とが密着されてブレることなく確実に把持される如く構成する。
【実施例２】
【００１２】  上記の如く携帯電子機器１のストラップ孔２に繋着されたストラップ３に繋止したぬいぐるみ、キャラクター、人形、指輪を含まないアクセサリーを指密着保持体４として、その底面に吸盤６を固着し、ストラップ３を緊張させた位置でその吸盤を携帯電子機器１の操作部の背面に吸着させる。指密着保持体４を指で挟持するか緊張されたストラップ３の下に指を挿入することで、指と携帯電子機器の筐体とが密着されて、ブレる事なく確実に把持される如く構成する。
【符号の説明】
【００１３】１    携帯電子機器
２    携帯電子機器のストラップ孔
３    ストラップ
４    ストラップに繋止された指密着保持体
５ａ  指密着保持体に固着された面ファスナーの雄面
５ｂ  携帯電子機器の筐体に接着された面ファスナーの雌面
６    指密着保持体に固着された吸盤
【図１】
0003156474.tif 000003
【図２】
0003156474.tif 000004
【図３】
0003156474.tif 000005
【図４】
0003156474.tif 000006
【図５】
0003156474.tif 000007